(57)【要約】【課題】  足に歪みを生じさせることが少ないインソールや履物類を製造するべく、これまでにない新しい型の製造方法と、この方法を用いて作られる新規な型を提供することを課題とする。【解決手段】  この発明では、従来例のようにただ現状の足に対してその足型をいかに正確に取るかを重視するのではなく、現状の足をまず正常な足に戻しておき、正常になった足に付いてその型を取るようにした点に特徴を有する。従ってこの発明の履物類によれば、履くだけで足先の反りや捩れや外反母趾などと言った問題が補正され、アーチ全体や指をあるべき姿に保つことが出来ると言う効果を奏する。【選択図】図１
2013212335.tif 000002
【特許請求の範囲】
【請求項１】
足に整体施術を行って足のアーチ形状を補正しつつ型を取る、足裏型の製造方法。
【請求項２】
足に整体施術を行って足裏形状の補正を行うと共に足裏の型を取って指部分を除いた部位に係るアーチ部足裏型を得る第１の工程と、このアーチ部足裏型に足を宛がい指部分の型を取って指裏型を得る第２の工程と、前記アーチ部足裏型と前記指裏型とを合わせて足全体の全体足裏型を得る第３の工程と、を経る足裏型の製造方法。
【請求項３】
足に体重を掛けないようにして実施する、請求項１または請求項２に記載の足裏型の製造方法。
【請求項４】
前記第１の工程に於いて、整体施術を行うと共に足裏にテーピングを行って補正した足裏形状を保ちながらアーチ部足裏型を得るようにする、請求項２に記載の足裏型の製造方法。
【請求項５】
前記第１の工程に於いて、ギプス包帯を用いてアーチ部足裏型を得る、請求項２に記載の足裏型の製造方法。
【請求項６】
前記ギプス包帯が固まる間にも足裏形状の補正を行う、請求項５に記載の足裏型の製造方法。
【請求項７】
固まった前記ギプス包帯を雌型として、指が納まっていた部分に詰め物を施し、詰め物を施していない部分を用いてアーチ部足裏型の雄型を得る、請求項５に記載の足裏型の製造方法。
【請求項８】
請求項１または請求項２に記載の足裏型の製造方法を用いて更に、足に前記全体足裏型の雌型を宛がい足の全体の型を取って足型を得る、足型の製造方法。
【請求項９】
ギプス包帯を用いて前記足型の雌型を取り、更にこの雌型を用いて雄型を得る、請求項８に記載の足型の製造方法。
【請求項１０】
請求項１または請求項２に記載の足裏型の製造方法を用いて製造された足裏型。
【請求項１１】
請求項８に記載の足型の製造方法を用いて製造された足型。
【請求項１２】
請求項１または請求項２に記載の足裏型の製造方法を用いて製造されたインソールまたは履物。
【請求項１３】
請求項８に記載の足型の製造方法を用いて製造されたインソールまたは履物。
【発明の詳細な説明】
【技術分野】
【０００１】  この発明は足のアーチ形状を整体矯正しつつ型を取ると言う、足裏型や足型の製造方法や、この方法を用いて作られた足裏型や足型や、この型を用いて作られたインソールや履物類に関する。
【背景技術】
【０００２】  一般的なオーダーメードシューズの製造方法としては足長、幅、高さ、足囲、踵幅などについて採寸を行い、予め多種類を用意している標準的な靴型の中から、採寸したものに最も近いものを選択し、それを修正する方法が採られて来た。この方法によれば価格的には安価であるものの、必ずしも採寸に忠実な靴型を提供出来ているとは言い難い。そこで高価ではあるもののより適切な靴型を取る方法としてフルオーダーメイドシューズの製造方法が実施されている。これは上記同様に、あるいはそれ以上に精密に足長、幅、高さ、足囲、踵幅などについて採寸を行い、この測定結果を基にコロシや捨て寸と言った調整を加えて、ユーザーの足にピタリと合った靴型を得る方法である。【０００３】  例えば特開平０９−２７６００５号の「フル・オーダーメイド靴の靴型の製造方法並びにそれに用いる足型採取器」では、熱可塑性樹脂を材料としてこれを加熱溶融させて餅状にしたものを足の周りに引き延ばして足部立体輪郭体を形成するか、または予め熱可塑性樹脂シートを靴の型紙状に切り取り電気鏝によって模型足立体輪郭体である足型採取器を作っておき、この足型採取器を加熱軟化させたものを足に履かせて足部立体輪郭体を形成し、この足部立体輪郭体が固まるまでに各種修正を加えて、靴型を製造するようにしている。実施例では足型採取台や型取り台が用いられ、この上に足を載せるようにして靴型が取られる。【０００４】  また特開平０１−１７５８０２号の「靴型の製造法」や特開平０９−０３７８１０号の「オーダーメード革靴の製造方法」によれば、型取り槽内に足を入れて未硬化の型取り材を注入し、型取り材が固化したら足を抜いて雌型とし、この中に硬化性液材を注入し固化させ脱型して雄型を作り、これを元に切削や肉盛りが為された靴型が作られる。
【先行技術文献】
【特許文献】
【０００５】
【特許文献１】特開平０９−２７６００５号公報
【特許文献２】特開平０１−１７５８０２号公報
【特許文献３】特開平０９−０３７８１０号公報
【発明の概要】
【発明が解決しようとする課題】
【０００６】  上記特開平０９−２７６００５号では、上記足型採取台や型取り台で希望するヒ−ル高に合わせた傾斜を持つ台の上に足を乗せ、その形に沿って硬化させれば、靴を履いた状態そのままの形状の足型を採取することが出来るとされている。また特開平０１−１７５８０２号では、型取り槽の底部に、あるいは型取り槽内に下敷成形物を敷きその上に、体重を掛けた状態で型取り材を固化させることが重要であるとされている。靴を履く時は体重が掛かって足が変形した状態になるので、その状態を再現すると言うのである。なお特開平０９−０３７８１０号では足を型取り槽内底面から少し浮かせ気味にすると良いとされているが、これは注入した型取り材が足裏に回り、足を抜いて雌型にした時に底が出来ているようにするためであろう。【０００７】  ところでその取るべき足型に関して、大きな問題が潜んでいることはこれまでに知られていなかった。人は誰でも身体に歪みを生じさせたまま日々の生活を送っており、背骨が曲がったり骨盤にズレを生ずるなどの不具合が見られることが多い。慢性の肩こりや消化不良などの症状に悩まされている人もいる。これらは一般的に生活習慣病として片付けられているが、症状が進行することでいよいよ治療が必要となる。なお整体治療はこれらの症状の改善に大きく寄与するものである。【０００８】  姿勢の悪さは当然のことながら足にも歪みを生じさせる結果となる。更に足には、流行やデザインを重視した爪先の細い靴やハイヒールなど履かせられることによって、陥入爪や外反母趾や、足先の反りや捩れなどの重大な問題が生じている。男性でもサイズの合わないきつい靴などを履くことで同様の症状が現れている。そこで自分の足に合う靴を探すわけであるが、ピタリとフィットするような靴をレディーメードから探すことはほとんど不可能であり、従ってオーダーシューズ以外にはあり得ないと言って良い。しかしながら上述したようにオーダーシューズは、「現状の足に対してその足型を取るもの」であるから、足の歪みとそこから生ずる各種症状の改善には何の役にも立たないのである。ここに大きな問題が潜んでいる。【０００９】  そこでこの発明は上述したような問題を解決して、足に歪みを生じさせることが少ないインソールや履物類を製造するべく、これまでにない新しい型の製造方法と、この方法を用いて作られる新規な型を提供することを課題とする。
【課題を解決するための手段】
【００１０】  当発明者は鋭意研究の結果、従来のオーダーメード靴製造に於いては足に靴を合わせるとは言うもののその足の健康状態には殆ど関心がなく、それどころか足の健康状態などと言うことには全く意識がないままに靴型を製造していることに思い至った。すなわち現状の足に対してその足型をいかに正確に取るかが重要な関心事だったのである。そこで当発明者は、現状の足をまず正常な足になるような方向性を出すべく整体施術を行い、正常に近付いた足に付いてその型を取れば良いと言う着想を得た。【００１１】  上記の課題は、足に整体施術を行って足のアーチ形状を補正しつつ型を取る足裏型の製造方法を提供することによって達成される。このようにこの発明では歪んだアーチや外反母趾などの問題を抱えている足を可能な限り正常な足に戻してから足型を取る点が特徴である。このためには足に整体を施すようにするのである。この足の整体に先立って体幹を揃える整体を施すようにするとなお良い。例えば骨盤の歪みが足に悪影響を及ぼしていると言うような場合にはまず骨盤から矯正されることが好ましい。なお補正された足の足裏形状の型を取ったものが足裏型であり、更にこの足裏型を用いて補正された足の全体の型を取ったものが足型である。【００１２】  また上記の課題は、足に整体施術を行って足のアーチ形状の補正を行うと共に足裏の型を取って、指部分を除いた部位に係るアーチ部足裏型を得る第１の工程と、このアーチ部足裏型に足を宛がい指部分の型を取って指裏型を得る第２の工程と、前記アーチ部足裏型と前記指裏型とを合わせて足全体の全体足裏型を得る第３の工程と、を経る足裏型の製造方法を提供することにより達成される。【００１３】  このようにして足裏形状の補正が行われて正常になった足に付き、指部分を除いた部位に係るアーチ部足裏型を作るのである。この場合整体施術が終わった足に付いて型を取るようにしても良いし、整体施術を行いつつ足型を取るようにしても良い。後者の方が正常な足を維持しつつ足型を取ることに対してより確かな方法である。なお何れの場合も足に体重を掛けないようにして実施することがより好ましい。体重で足の形を出来る限り歪ませたくないからである。理想的にはユーザーを施術台上に寝させて、整体施術を行いつつ足型を取るようにする。【００１４】  上記型取り材には熱可塑性樹脂や石膏や後述するギプス包帯などを任意に用いることが出来る。また例えば熱可塑性樹脂ならばギプス包帯のように足裏形状の補正を行いながら固化させると言うような足裏型の製造が可能である。【００１５】  このようにして得られた足型の特徴はこれを床面に置いた時にアーチ部の前後の３点で床面に接地する点にある。３点とは後ろ側の踵と、前側左右の拇指球と小指球のことである。これによってアーチ全体が補正されていることが分かる。なお上述した特開平０９−２７６００５号ではユーザー本人が足型採取台や型取り台に載せた足についてそのボールガ−ス部をフィット感に基づき加減しながら抑え込むことにより、中足骨の拡張を調整して適切なコロシの入った足部立体輪郭体を得るようにしている、とは言うものの専門家が本質的な足の歪みの整体施術を行って正常な足の形を得るようなことは為されていないのである。これに対してこの発明では、整体施術者が手業を用い力を掛けて正常な足の形を作ると共に足裏の型を取るようにしている点で大きく異なる。【００１６】  ところで、第１の工程に於いて、整体施術を行うと共に足裏にテーピングを行って補正した足裏形状を保ちながらアーチ部足裏型を得るようにすることが出来る。整体施術により得られる正常な足の形を、アーチ部足裏型を得るまでの間、テーピングで支えることでよりしっかりと保持して安定させることが可能になる。【００１７】  次に第１の工程に於いて、ギプス包帯を用いてアーチ部足裏型を得るものとすることが出来る。ギプス包帯とはギプス粉（粉末状の焼石膏）をまぶした包帯やガーゼのことであり、ギプス粉は石膏（硫酸石灰）を焼いて粉にしたものであって、これに水分を加えると固まる性質を有する。このようなギプス包帯を温湯にひたしてしぼり、足裏形状の補正が行われて正常になった足に巻きつけるようにして用いる。季節にもよるが一般的なものでは５〜２０分ほどで固まる。より少ない時間で固化させるために温湯に塩を含ませることも行われる。あるいは電球の光やドライヤーの温風を当てるなどして乾燥を早める方法もある。なおギプス包帯が固まる間にも足裏形状の補正を行うようにすることでより正確なアーチ部足裏型を取得することが出来る。【００１８】  さて第２の工程では、第１の工程で得られたアーチ部足裏型に足を宛がい指部分の型を取って指裏型を得るようにしている。第１の工程では整体施術を行い足裏形状を補正してアーチ部足裏型を得たわけであるが、この第２の工程に進むまでにユーザーの足が補正前の足裏形状に戻ろうとしたり戻ってしまったりする場合がある。そこで第１の工程で得られたアーチ部足裏型にユーザーの足を宛がったら、整体施術者は足裏がピタリとアーチ部足裏型に着くように押さえるなどして、足をアーチ部足裏型に合わせる調節を行うようにするのである。【００１９】  アーチ部足裏型に足を合わせることで上述した３点が固定され、この結果５指間が開いて来る。この状態は指部分に整体が施されたのと同じような状態である。そこで石膏などの型取り材を指の部分の下側に置いて手業を用い力を掛けて指裏の部分の型を取るのである。このようにして足先の反りや捩れや外反母趾などと言った問題が補正された指裏型が得られる。なお指裏の部分の型を取る際に指部分に整体施術を行うようにしても良いことは言うまでもない。【００２０】  最後に第１の工程で得られたアーチ部足裏型と第２の工程で得られた指裏型とを合わせて足全体の全体足裏型を得る第３の工程を経ることで、足全体の全体足裏型を得ることが出来る。アーチ部足裏型部分はアーチ部の前後の３点で床面に接地するように補正された足から取られた部分であり、指裏型部分は開いた状態に補正された指から取られた部分であり、これ等を合わせて足全体が補正された全体足裏型となる。【００２１】  ところで補正した足裏形状を保ちながらアーチ部足裏型を得た後に、補正した指部分の型を取って指裏型を得ると言う場合、次の２タイプが容易に実施可能である。第１は足の補正を行って取った足裏の型を雌型として、上記前側２点より前方の指部分に詰め物をした上でこの雌型に石膏などの型取り材を流し込み、こうして得られた指部分の型を有さない状態の雄型すなわちアーチ部のみの雄型を、型枠内に流し込んだ石膏などの型取り材に納めて指部分の型を有さない状態の雌型を作る。この雌型はやはりアーチ部のみの雌型である。そこで型枠内の指部分に相当する部分に石膏などの型取り材を入れ、ユーザーの足をアーチ部のみの雌型に載せるとユーザーの指部分は型取り材の上に位置することになるため、施術者はユーザーの指部分に掌で力を加えて型取り材に押し込むようにする。こうしてアーチ部の雌型の前方に指部分の雌型が新たに追加されて全体足裏型が得られるのである。【００２２】  第２は足の補正を行って取った足裏の型を雌型とし、上記前側２点より前方の指部分を鋏などでカットしてアーチ部のみの雌型を得たら、この雌型にユーザーの足を嵌め合わせて、この状態で施術者は型取り材でユーザーの指部分の型を取り、アーチ部の雌型の前方に指部分の雌型を作って、全体足裏型を得るようにするのである。第２の方法は上述したギプス包帯を用いる場合にも適用可能である。なお前方の指部分をカットすると言う意味では、指部分を含めて石膏などの型取り材を流し込み、石膏が固まったら指部分を鋸などを用いて切除することでも実現し得る。何れにせよ前方の指部分をカットするに際しては上記３点の内の特に拇指球部分と小指球部分の盛り上がりを損ずることのないように注意を払う必要がある。【００２３】  またこの発明では、上述したような足裏型の製造方法を用いて更に足に前記全体足裏型の雌型を宛がい足の全体の型を取って足型を得る、足型の製造方法を提供する。足裏全体の全体足裏型が得られたら雌型の全体足裏型から全体足型を作ることが出来る。この場合も、この雌型の全体足裏型に足を載せて足の周りの形を石膏などの型取り材で取り、全体足型の雌型を作成して、この雌型を用いて全体足型を得るようにする方法と、上記雌型の全体足裏型から一旦雄型の全体足裏型を作り、これを元にして雌型の全体足裏型を作成して、これに足を載せて足の周りの形を取り、この雌型から全体足型を得るようにする方法とがある。またこの際にギプス包帯を用いて前記足型の雌型を取り、更にこの雌型を用いて雄型を得るようにしても良い。【００２４】  さて上述したような製造方法を用いて製造された足裏型や足型を使用すれば、靴、地下足袋、サンダル、スリッパ、靴のインソール等々を製造して提供することが出来る。一般的にはこれ等を足型から製造するが、足裏型から直接製造することも十分可能である。
【発明の効果】
【００２５】  この発明によれば、従来例のようにただ現状の足に対してその足型をいかに正確に取るかを重視するのではなく、現状の足をまず正常な足に戻しておき、正常になった足に付いてその型を取るようにしたので、これを元に作られた履物類によれば、履くだけで足先の反りや捩れや外反母趾などと言った問題が補正され、アーチ全体や指をあるべき姿に保つことが出来ると言う効果を奏する。【００２６】  なおこの発明により提供された履物を履き続けた結果の足に付いて、数ヶ月〜数年後にまたこの発明の方法で足裏型や足型を作り、履物を作ることで、更に良好な結果を得ることが出来る。なおユーザーの足型を取る前の足とこの履物を履き続けた後の足とを、写真撮影によって比較することによってその違いを明らかにして見せることが出来る。
【図面の簡単な説明】
【００２７】
【図１】  実施例１の製造工程の説明図である。
【図２】  実施例２のアーチ部足裏型の説明図である。
【図３】  実施例２の製造工程の説明図である。
【図４】  実施例２の指裏型の取り方を表す説明図である。
【図５】  実施例２の足型の取り方を表す説明図である。
【図６】  実施例２の足型の説明図である。
【図７】  実施例３の製造工程の説明図である。
【発明を実施するための形態】
【実施例１】
【００２８】  この実施例によれば、現状の足をまず正常な足に戻しておいて、正常になった足の型を取るようにするべく、図１に表したような工程を辿って靴を製造している。すなわち足に整体施術を行って足のアーチ形状を補正し（ステップＳ１）、補正した足全体の足裏型を作って（ステップＳ２）、この足裏型から足型を作り（ステップＳ３）、この足型を以て靴の製造を行うのである（ステップＳ４）。ステップＳ１に於いて足に整体施術を行う際に指部分の形状の整体施術を行うようにしても良い。特筆すべきは整体施術で補正した足のアーチ形状が再び正常ではない状態に戻ろうとしても、この発明によって得られた靴を履くことで足の形状が補正されることである。
【実施例２】
【００２９】  この実施例を図２乃至図６を用いて説明する。足に整体施術を行って足のアーチ形状や指部分の形状の補正を行ったら（ステップＳ５）、ギプス包帯１を温湯にひたして絞り、上記足裏形状の補正が行われて正常になった足裏を覆い、１０分ほどして固まると足裏型が得られる（ステップＳ６）。ギプス包帯の用い方の一例を上げると、まず足底を覆い、次いで恰も舟形を作るように足の周囲に巻くのであるがこの際に先の足底とも重なり合うようにして行い、再度足底を張って舟底を形成する。なお補正した足にテーピングを施して足を補正した状態に固定するステップＳ１５の工程をステップＳ５とステップＳ６との間に入れるようにするとより良い。なおステップＳ６でギプス包帯が固まって行く間にも整体施術を行うことは好ましいことである。【００３０】  このようにして図２（Ａ）で表した足裏型を得る。符号２はステップＳ６のギプス包帯１で覆った指周り部２である。この足裏型の特徴は、整体施術により補正された足の写しであり、これを床面に置いた時にアーチ部の後ろ側の踵部１０と前側左右の拇指球部１１と小指球部１２との３点で床面に接地する点にある。これが理想的な足の形状である。【００３１】  このギプス包帯１で出来た足裏型の指周り部２の中に粘土などで詰め物をして、この他の部分に未硬化の石膏を流し込み雄型のアーチ部足裏型を取ると（ステップＳ７）、図２（Ｂ）のアーチ部足裏型１３を得る。符号２０は先部に詰め物をすることで指部分を除外したことによる除外縁部である。次いで型枠と未硬化の石膏を用いて上記アーチ部足裏型１３から指部分のない雌型を製作する（ステップＳ８）。指部分をなくするには型枠の指部分に詰め物をすれば良い。あるいは指部分を含めて石膏を流し込み、石膏が固まったら指部分を切除することでも実現し得る。ここまでがこの実施例の第１の工程に相当する。【００３２】  この実施例の第２の工程は、図４で表すように型枠３の中に上記雌型を納め、指部分に粘土程度の柔らかさの石膏４を置き、ユーザーの足を雌型に載せたら、両掌でユーザーの指部分を石膏４に押し付けて指裏型４０を取ると、アーチ部足裏型１３と指裏型４０とから成る雌型の全体足裏型５が得られる（ステップＳ９）。【００３３】  このようにして得られた雌型の全体足裏型５から最終的な足型を得るには、図５で表すようにする。すなわちここからがこの実施例の第３の工程になるが、上記雌型の全体足裏型５に未硬化の石膏を流し込み雄型の全体足裏型を取り（ステップＳ１０）、型枠と未硬化の石膏を用いて上記雄型の全体足裏型からこの雌型の全体足裏型５’を作る（ステップＳ１１）。これによればアーチ部足裏型と指裏型の間には上記除外縁部２０のような境界はなく一体のものとなっている。そしてガーゼ様のギプス包帯６を温湯にひたして絞り、この雌型の全体足裏型５’の上に靴下を着用した足を載せて、ギプス包帯６で足の全体を包んで雌型の足型を取り（ステップＳ１２）、ユーザーの足を抜いたらこの雌型の足型に未硬化の石膏を流し込んで硬化させると図６のような雄型の足型７を得ることが出来る（ステップＳ１３）。この足型を使用して靴を作るのであるが（ステップＳ１４）、ここからは既存の技術を利用し��良い。例えばこの足型７に所要の肉盛りや切削を行ないこれを元に木型を製作し、この木型から靴を作る。【００３４】  このようにして得られた靴は、ユーザーの整体後の足にほぼ適合するものであるから、ユーザーの足がまた変形したとしてもこの靴を履くことで整体直後の足に補正してくれると言う効果がある。そしてこの靴の履き心地はリアルな足裏を反映した言わばハダシ以上のハダシであると言うことが出来る。またこの靴を履くことは整体に係ることであるから姿勢矯正や内臓強化や代謝促進などが期待される。
【実施例３】
【００３５】  この実施例を図７で表すが、ここでは第２実施例で図３を用いて説明した補正した足をギプス包帯で包んで雌型の足裏型を取るステップＳ６から左へ分岐してステップＳ１６に移行し、ステップＳ６のギプス包帯１で足裏を覆って得た足裏型に対して、この指部分を鋏でカットして雌型のアーチ部足裏型を作り（ステップＳ１６）、このアーチ部足裏型にユーザーの足を填め込み、この足の指部分の下側に粘土程度の柔らかさの石膏４を置き、両掌でユーザーの指部分を石膏４に押し付けて指裏型４０を取ると、アーチ部足裏型１３と指裏型４０とが除外縁部２０で接合して成る雌型の全体足裏型８が得られる（ステップＳ１７）。この実施例ではステップＳ６の足裏型の指部分を鋏でカットして除去することで、このカット部分に除外縁部２０が形成される。アーチ部足裏型にユーザーの足を填め込むと、ユーザーの足の指部分はこの除外縁部２０から前方に突出することになる。当然のことながら除外縁部２０は上記３点の内の前側左右の拇指球部１１および小指球部１２より前方に位置している。【００３６】  この実施例では第２の工程と第３の工程とが明確に区別されない。指裏型４０を取るのは第２の工程に属するし、これによって雌型の全体足裏型８を得るのは第３の工程に属することになるのであるが、この２つの工程がステップＳ１７だけで済んでしまうからである。すなわちこの実施例は、アーチ部足裏型に足を宛がい指部分の型を取り指裏型を得て前記アーチ部足裏型と前記指裏型とが接合した足全体の全体足裏型を得る製造方法なのである。この発明はこのような場合をも包含している。【００３７】  更に全体足裏型から足型を取ったり、この足型から靴を作る場合には、ステップＳ１７に続けて第２実施例で図３を用いて説明したステップＳ１２に移行すれば良い。こうして得られた靴はユーザーの足を整体直後の足に補正してくれる作用を有する。
【産業上の利用可能性】
【００３８】  この発明は一般客を対象にするのみならずリハビリ施設などでの実施を対象にすることが出来る。またこの際に販売ではなくレンタルでの提供が可能である。
【符号の説明】
【００３９】１  ギプス包帯
１０  踵部
１１  母指球部
１２  小指球部
１３  アーチ部足裏型
２  指周り部
２０  除外縁部
３  型枠
４  石膏
４０  指裏型
５，５’  雌型の全体足裏型
６  ギプス包帯
７  足型
８  雌型の全体足裏型
【図１】
2013212335.tif 000003
【図２】
2013212335.tif 000004
【図３】
2013212335.tif 000005
【図４】
2013212335.tif 000006
【図５】
2013212335.tif 000007
【図６】
2013212335.tif 000008
【図７】
2013212335.tif 000009